(57)【特許請求の範囲】
【請求項１】
冷蔵室とその下に野菜室を設け、冷蔵室の下部には隔離室を設け、冷蔵室と野菜室との仕切部には仕切凹形状部を設け、隔離室の中には取っ手部を把持して引き出し可能なケースを設け、前記ケースの下部を前記仕切凹形状部の凹部領域に配置し、
前記隔離室の前方には上方に開く蓋を設け、
前記取っ手部を上方より指をかけるように前記蓋の下端より下方で、且つ前記仕切部よりも上方になるように、前記ケースの前方に設けたことを特徴とする冷蔵庫。
【請求項２】
前記蓋は前記隔離室の側壁に設けた溝に案内されるピンを有し、前記ピンと係合して前記蓋を開閉するカム面を前記ケースの側壁上端に設けたことを特徴とする請求項１に記載の冷蔵庫。
【請求項３】
前記ケースの前面が当接して引き出し位置を規制する略垂直面から成るケース当たり部を前記仕切凹形状部に設けたことを特徴とする請求項１または請求項２に記載の冷蔵庫。
【発明の詳細な説明】
【０００１】
【発明の属する技術分野】
本発明は、冷蔵室とその下に野菜室を設けた冷蔵庫に関するものである。
【０００２】
【従来の技術】
従来のこの種の冷蔵庫は、特開平９−１１３１０７号公報に開示されているように冷蔵庫の上部に冷蔵室、冷蔵庫の下部に冷凍室、冷蔵室と冷凍室の間に野菜室を設け、その冷蔵室下部に設けた隔離室（チルド室）に食品収納用のケース（トレー）を設け、そのケースの引き出し動作に連動して、開閉扉を開閉する構成であり、また、同号公報の図４に上記隔離室（チルド室）を持つ冷蔵室と野菜室との仕切部には、仕切凹形状部を設けた構成が開示されている。
【０００３】
【発明が解決しようとする課題】
上記のような従来の冷蔵庫の構成、つまり、特開平９−１１３１０７号公報に開示されているものであれば、冷蔵室下部の隔離室（チルド室）に配置された引き出し可能なケース（チルドケース）の下部が、前面仕切り部の上部とほぼ一致しており、そのケース下部とケースの下にある仕切り部との空間は冷気通路に使用するには必要以上に広く、この空間は有効に活用されておらず、また、野菜室に流れ込む冷気は、冷蔵室を通った冷気のみであり、貯蔵量の変化やドアの開閉頻度のちがいにより、野菜室を常に適温には調節しにくいという課題がある。
【０００４】
【課題を解決するための手段】
本発明の冷蔵庫は上記のような課題を解決したもので、冷蔵室とその下に野菜室を設け、冷蔵室の下部には隔離室を設け、冷蔵室と野菜室との仕切部には仕切凹形状部を設け、隔離室の中には取っ手部を把持して引き出し可能なケースを設け、前記ケースの下部を前記仕切凹形状部の凹部領域に配置し、前記隔離室の前方には上方に開く蓋を設け、前記取っ手部を上方より指をかけるように前記蓋の下端より下方で、且つ前記仕切部よりも上方になるように、前記ケースの前方に設けたことを特徴としている。この構成によると、ケース下部とケースの下にある仕切り部との空気は冷気通路に使用するに必要最小限の空間を設定できる。
【０００５】
また、本発明は上記構成の冷蔵庫において、前記蓋は前記隔離室の側壁に設けた溝に案内されるピンを有し、前記ピンと係合して前記蓋を開閉するカム面を前記ケースの側壁上端に設けたことを特徴としている。
【０００６】
また本発明は上記構成の冷蔵庫において、前記ケースの前面が当接して引き出し位置を規制する略垂直面から成るケース当たり部を前記仕切凹形状部に設けたことを特徴としている。
【０００７】
【発明の実施の形態】
以下、本発明の冷蔵庫の実施の形態を図面を参照して説明する。
【０００８】
図１は本発明の冷蔵庫の要部断面図であり、図２は図１の冷蔵庫の隔離室付近の要部拡大図であり、ケースの貯蔵品の出し入れが可能となるまで、ケースを前方に引き出された状態を示す。図３は図１の冷蔵庫の隔離室付近の要部拡大図であり、ケースが隔離室から取り出される状態を示す。図４は図１の冷蔵庫の隔離室付近の要部拡大図であり、ケースの下部を仕切凹形状部の上面に乗せ、前方より隔離室にケースを挿入し始めたときの状態を示す。図５は図１の冷蔵庫の隔離室付近の要部拡大図であり、仕切凹形状部に引き出し可能なケースのケース当たり部を設けたときの状態を示す。図６は図１の冷蔵庫の隔離室付近の要部拡大図であり、仕切凹形状部に引き出し可能なケースのケース支えリブを設けたときの状態を示す。
【０００９】
図１において、１は冷蔵庫本体、２は冷蔵室、３は野菜室、４は隔離室、５は上記冷蔵室２と野菜室３との間に設けた仕切部、５ａは上記仕切部５に設けた仕切凹形状部、６は前面仕切部、７はケースであり、図中、仕切凹形状部５ａの凹寸法はケース７の下部および野菜室３の上部のそれぞれの冷気通路の関係から、前面仕切部６の１／２以上にとってある。
【００１０】
また、ケース７の下部は仕切凹形状部５ａの凹部領域内に、必要最小限に冷気通路の空間を確保できるよう配置させてあり、これにより、ケース７全体が下がり、その結果隔離室全体の高さが従来より低くなり、ケース７の下部と仕切凹形状部５ａとの空間を有効に活用できる。
【００１１】
そして、ケース７の位置が下がったため、子供のような背の低い人にも、ケース７内の物が取り出しやすくなり、隔離室４全体が低くなったため、同じ冷蔵室容量であっても、従来より冷蔵室２の最上段の棚の位置も下がり、女性等の背の低い人にも貯蔵品の出し入れが容易になり、そのため冷蔵庫の収納性が従来よりも向上する。
【００１２】
８は上記ケース７の側面外側に設けられたケースガイドであり、９ａおよび９ｂは、隔離室側壁に各々設けられた側壁ガイドで、ケースガイド８を上下より挟み込んでおり、９ａは側壁ガイドウエ、９ｂは側壁ガイドシタで、その各々はケース７の動きを導いている。１０はフタ、１１は上記フタ１０に設けられたフタ当たり部で、ケース７を引き出した時、ケース７のケース側壁上端７ａに当たり、フタ１０を押し上げる役目をする。１２は仕切開口部、１３は野菜室冷気吐き出し口である。
【００１３】
なお、１４は冷蔵室ドア、１５はドアポケット、１６は野菜室引き出しドア、１７は野菜ケースでドアアングル（図示せず）にて野菜室引き出しドア１６に取り付けられている。１８は小物ケースで、野菜ケース１７の上部に取り付けられている。１９は調湿カバー、２０はファン組品、２１は蒸発器、２２は隔離室冷気吐き出し口である。
【００１４】
上記蒸発器２１で冷却された冷気は、ファン組品２０で送られ、野菜室冷気吐き出し口１３や隔離室冷気吐き出し口２２やその他の冷気吐き出し口から各室に吐き出される。隔離室冷気吐き出し口２２の先端はケース７の奥の端部より前方に位置し、冷気を確実にケース７内へ送り込むように配慮されている。
【００１５】
上記冷蔵室２および隔離室４に吐き出された冷気は、各室を冷却し比較的温度の高くなった冷気となり、その一部が仕切開口部１２を通って野菜室３に流れ込み、残りの冷気は各室からモドリダクト（図示せず）を通り、蒸発器２１の下部へ流れ込む。この仕切開口部１２を通って野菜室３に流れ込んだ、比較的温度の高くなった冷気と、野菜室冷気吐き出し口１３から流出する冷気とが混合し、野菜凍結のない野菜保存に適した冷気が得られる。この仕切開口部１２は、仕切凹形状部５ａ奥の傾斜部にあるため、仕切部５の水平部に設けるよりは、開口面積を多く取れ、また、仕切凹形状部５ａに少量の水等をこぼしても、仕切開口部１２から野菜室３にこぼれ落ちることはない。
【００１６】
なお、この混合された野菜保存に適した冷気は、仕切凹形状部５ａと調湿カバー１９とで形成された冷気通路を通り、野菜ケース１７および小物ケース１８内の野菜等貯蔵品を、水分を逃がさないよう間接的に冷却保存する。
【００１７】
図２において、ケース７の前方に位置するケース取っ手部７ｂを上方より指をかけケース７を引き出すと、フタ１０の下方に位置するフタ下端１０ａをケース側壁上端７ａが前方に押し、フタ下端１０ａはフタ側壁から突き出たフタピン１０ｂを回転中心にし前方上方へ移動する。
【００１８】
さらにケース７を引き出すとフタ当たり部１１をケース側壁上端７ａが押し上げ、フタピン１０ｂおよび１０ｃは、勘合している側壁フタガイド９ｃにそって移動し、その結果、フタ１０は上方に移動する。ケース７は、ケースガイド８の下部突起部８ａが、側壁ガイドシタ９ｂの上部突起部９ｄに当たるまで、前方に引き出される。通常はこの状態でケース７の中にある貯蔵品の出し入れが行われる。
【００１９】
図３において、ケースガイド８の下部突起部８ａが、側壁ガイドシタ９ｂの上部突起部９ｄに当たるまで、上記ケース７が前方に引き出された後、ケース取っ手部７ｂを持ち上げ前方に引くと、ケースガイド８の下部突起部８ａが、側壁ガイドシタ９ｂの上部突起部９ｄからはずれ、ケース７がさらに前方に引き出され、ケース７は隔離室４から取り出される。
【００２０】
なお、ケース取っ手部７ｂは、この時、上方からも下方からも使用できるように、考慮されている。図中、実線で描かれたケース７は、上記時点でフタ１０を最も押し上げた時の位置関係を示し、２点鎖線で描かれた５０はケース７下部の軌跡を示す。軌跡５０は、仕切凹形状部５ａをもつ仕切部５の上面よりも常に上になるよう、各部が構成されている。
【００２１】
図４において、フタ１０を手で持ち上げ、ケース７の下部を仕切凹形状部５ａの上面に乗せて前方より隔離室４にケース７を挿入して行くと、ケースガイド奥部下端８ｂが側壁ガイドシタ前部上端９ｅの上にあり、また、ケースガイド奥部上端８ｃが側壁ガイドウエ前部下端９ｆの下にあるため、容易にケースガイド８は、側壁ガイドウエ９ａと側壁ガイドシタ９ｂの間に入り込むことができる。
【００２２】
また、フタ１０はケース側壁上端７ａにのせておくと、ケース７の挿入に従い、ケース側壁上端７ａにより徐々に上げられ、フタ１０がケース７の挿入を妨げない。さらに、ケース７を隔離室４に押し込んで行くとケース７は図３の状態にもどり、最終的には図１の隔離室４内に入り込んだ状態となる。
【００２３】
図５において、５ｂは仕切凹形状部５ａに設けられたケース当たり部であり、ケース当たり部５ｂまでケース７を前方へ引き出すと、図２に図示された引き出し量よりも多く前方へ引き出せ、ケース７内の奥まで一層よく見ることができ、また、貯蔵品の出し入れもいっそう容易になり、ケースの収納性が向上する。
【００２４】
【発明の効果】
本発明の冷蔵庫は上記のような構成であるから、ケースの一部を仕切凹形状部の凹部領域に配置させたことにより、隔離室の貯蔵量を従来と同じに保ちながら、隔離室全体の高さが従来より低くなり、ケースの下部と仕切凹形状部との空間を有効に活用でき、しかも、ケースの位置が下がったため、子供のような背の低い人にも、ケース内の物が取り出しやすくなり、隔離室全体が下がったため、同じ冷蔵室容量であっても、従来より冷蔵室の最上段の棚の位置も下がり、女性等の背の低い人にも貯蔵品の出し入れが容易になり、冷蔵庫の収納性が従来より向上する。
【００２６】
また本発明は、仕切凹形状部にケース当たり部を設けたことにより、ケースをより一層前方に引き出せ、ケースの収納性が向上する。
【図面の簡単な説明】
【図１】本発明の冷蔵庫の実施の形態を示す要部断面図である。
【図２】図１のケースを前方に引き出された状態を示す冷蔵庫の隔離室付近の要部拡大図である。
【図３】図１のケースが隔離室から取り出される状態を示す冷蔵庫の隔離室付近の要部拡大図である。
【図４】図１のケースの下部を隔離室に挿入し始めたときの状態を示す冷蔵庫の隔離室付近の要部拡大図である。
【図５】図１の仕切凹形状部にケース当たり部を設けたときの状態を示す冷蔵庫の隔離室付近の要部拡大図である。
【符号の説明】
２  冷蔵室
３  野菜室
４  隔離室
５  仕切部
５ａ  仕切凹形状部
５ｂ  ケース当たり部
７  ケース
１２  仕切開口部
１３  野菜室吐き出し口
【図１】
0003597361.tif 000002
【図２】
0003597361.tif 000003
【図３】
0003597361.tif 000004
【図４】
0003597361.tif 000005
【図５】
0003597361.tif 000006